(57)【要約】【課題】有茎種等を含めた沈水植物を再生する効果的な技術を提供する。【解決手段】合繊マット等の３次元空隙構造の基盤本体１０を、シート状部材３０で外側を包むようにして植栽基盤１００を形成する。かかる植栽基盤１００は、例えば、フロート等を設けた浮島状に構成する。植栽基盤１００の３次元の空隙構造の表面側に、沈水植物２００ａの栄養物２０を含んだ再生箇所等の湖底の泥を塗り込み、その後乾燥させて、栄養物２０の剥落を極力防止する。かかる構成の植栽基盤１００の表面側に、沈水植物２００ａを寝かせた状態でピン４０等により固定し、生育させて根を伸張させ、沈水植物２００ａの群落等の再生を図る。【選択図】図１
2007259790.tif 000002
【特許請求の範囲】
【請求項１】
沈水植物を根づかせる植栽基盤であって、
前記植栽基盤は３次元の空隙構造を有し、
前記３次元の空隙構造の植栽面側に、前記空隙構造を利用して前記沈水植物の栄養物を塗り込み保持させたことを特徴とする植栽基盤。
【請求項２】
請求項１記載の植栽基盤において、
前記栄養物は、湿潤状態で前記空隙構造の表面側に塗り込まれた後に固化させられ、
前記植栽基盤は、水中に保持されることを特徴とする植栽基盤。
【請求項３】
請求項２記載の植栽基盤において、
前記栄養物とは、前記植栽基盤にて再生させる植物の生育する水域の底泥であることを特徴とする植栽基盤。
【請求項４】
沈水植物を植栽基盤に根づかせる植栽方法であって、
前記植栽基盤に、前記沈水植物の茎部分を横に寝かせた状態で根を生えさせることを特徴とする植栽方法。
【請求項５】
請求項４に記載の植栽方法において、
前記沈水植物は、請求項１〜３のいずれか１項に記載の植栽基盤の前記栄養物が保持された側に寝かせられていることを特徴とする植栽方法。
【発明の詳細な説明】
【技術分野】
【０００１】
本発明は植栽基盤に関し、特に、沈水植物の生育に適用して有効な技術に関するものである。
【背景技術】
【０００２】
車軸藻、クロモ、エビモ、フサモ等々の沈水植物群落には、栄養塩吸収作用や懸濁物の付着・沈降・再懸濁防止作用、ミジンコなどの動物プランクトンや付着微生物の増加等の様々な水質浄化作用があることが分かっている。また、小魚や底生動物が増加する等の生態系修復機能を持つことも知られている。
【０００３】
しかし、高度経済成長期の栄養塩の増大、過剰の除草剤の投入、草魚の放流等により、全国各地で沈水植物が絶滅、消失、衰退しているのが現状である。因に、日本では水草の１／３がレッドデータブックに記載されている。
【０００４】
かかる現状を受け、河川、湖沼等の水質改善や生物多様性保全の観点から、これらの沈水植物群落を水辺等に再生する試みが実施されている。
【０００５】
例えば、非特許文献１には、土壌シードバンクを利用して過去に消失したその水域に在来の沈水植物群落を再生する方法が記載されている。
【非特許文献１】西廣  淳、他３名、「霞ヶ浦沿岸域の湖底土砂に含まれる沈水植物の散布体バンク」、２００３年、保全生態学研究８巻、ｐ．１１３−１１８
【発明の開示】
【発明が解決しようとする課題】
【０００６】
しかしながら、大規模湖沼等の波浪の影響を受けるような水域の水底に、土壌シードバンクを撒きだす方法や直接苗株を植えつけるような方法では、復元対象とする水底が軟弱な底泥の場合が多く、植物が根を伸張し水底に活着する前に波浪の影響で植物体が生育前に剥離してしまうとの指摘もある。
【０００７】
人工浮島に構成した場合も同様に、風波等の影響を受けるが、それ以外に、植栽基盤の栄養の面で問題がある。一般的に、沈水植物は水中で植物体の葉から窒素やリンなどの無機態の栄養素を取り込むと言われている。
【０００８】
しかしながら、沈水植物を復元するような水域の多くは、アオコなどの植物プランクトンが大量に発生しており、窒素やリンなどの栄養素の多くはすぐに沈水植物が利用できるような無機態としてではなく、懸濁態（有機体）となっている。このため、植栽基盤に直接植えつける方法では利用可能な栄養素が少ないため初期の生育が悪くなり、根が伸張せずに植栽基盤への活着率が減少してしまう。
【０００９】
一方、栄養素を含む底泥等の土砂を充填する場合は生育は良くなるが、植栽基盤自体が非常に重くなり扱い難くなる。さらに、浮体構造が大きくなるためコストがかさむという問題も発生する。浮体の規模を小さくすると言う点では、土砂を入れたポッドを充填する方法を採用すればその解決は図れるが、反面、地下茎を横方向に伸張する種（ランナーで増える種類）には適さない。
【００１０】
また、従来の植栽方法は植栽基盤や土砂に対して直立に植えつける方法であるが、この方法はミズニラ等のロゼット型の植物には適しているが、有茎種の場合は茎の節目から根を出すことが多いため、直立の植え付けかたでは根が水中に伸びてしまい基盤への活着が悪くなるという問題がある。
【００１１】
これらの沈水植物の生育に関しては、基盤の栄養と植物の根の活着という面から、新技術を開発することが必要と本発明者は考えた。
【００１２】
本発明の目的は、有茎種等を含めた沈水植物を再生する効果的な技術を提供することにある。
【００１３】
本発明の前記ならびにその他の目的と新規な特徴は、本明細書の記述および添付図面から明らかになるであろう。
【課題を解決するための手段】
【００１４】
本願において開示される発明のうち、代表的なものの概要を簡単に説明すれば、次のとおりである。
【００１５】
本発明は沈水植物を根づかせる植栽基盤であって、前記植栽基盤は３次元の空隙構造を有し、前記３次元の空隙構造の植栽面側に、前記空隙構造を利用して前記沈水植物の栄養物を塗り込み保持させたことを特徴とする。かかる構成において、前記栄養物は、湿潤状態で前記空隙構造の表面側に塗り込まれた後に固化させられ、前記植栽基盤は、水中に保持されることを特徴とする。かかる構成において、前記栄養物とは、前記植栽基盤にて再生させる植物の生育する水域の底泥であることを特徴とする。
【００１６】
本発明は、沈水植物を植栽基盤に根づかせる植栽方法であって、前記植栽基盤に、前記沈水植物の茎部分を横に寝かせた状態で根を生えさせることを特徴とする。かかる構成において、前記沈水植物は、前記構成の植栽基盤の前記栄養物が保持された側に寝かせられていることを特徴とする。
【発明の効果】
【００１７】
本願において開示される発明のうち、代表的なものによって得られる効果を簡単に説明すれば以下のとおりである。
【００１８】
本発明では、沈水植物の根がしっかりと張った植栽基盤となるため、波浪の影響をうける場所でも沈水植物の生育が可能となる。
【００１９】
本発明では、植栽基盤表面に栄養物を塗りこむことにより、軽量かつ沈水植物の生長を向上させた植栽基盤とすることができる。
【００２０】
本発明では、沈水植物を横に寝かせて植栽することで沈水植物の根の植栽基盤への活着率を増加させることができ、かつ植栽基盤表面からの栄養物の吸収を高め、植物の生育を向上させることができる。
【００２１】
本発明の植栽基盤を用いた植栽方法により、波浪の影響をうけるような沿岸帯における沈水植物の再生を可能とするとともに、水質浄化および自然再生を目的とした沈水植物植栽浮島において沈水植物の生育を向上させることができる。
【発明を実施するための最良の形態】
【００２２】
以下、本発明の実施の形態を図面に基づいて詳細に説明する。尚、実施の形態を説明するための全図において、同一の部材には原則として同一の符号を付し、その繰り返しの説明は省略する場合がある。
【００２３】
（実施の形態１）
図１は、本発明に係る植栽基盤と、その植栽基盤に沈水植物を根づかせる構成を模式的に示した断面図である。図２は、植栽基盤にフロートを設けて浮島に構成した場合を模式的に示す説明図である。
【００２４】
植栽基盤１００は、図１に示すように、沈水植物２００ａ等の植物２００を植える基盤本体１０と、植栽される植物２００の栄養物２０と、基盤本体１０の外周を囲むシート部材３０とから構成されている。
【００２５】
基盤本体１０は、３次元構造に形成され、植栽される植物２００の根が、その３次元構造内に伸張できる空間を有するものである。かかる３次元構造の物質としては、例えば、繊維状の三次元網目構造を有するポリエチレン製や塩化ビニル製等の市販されているプラスチック性合成繊維マットや、ヤシ繊維マット等を例として挙げることができる。
【００２６】
かかる繊維マット類は、３次元構造内の空隙率が非常に大きいため、植栽する植物２００の成長に合わせて、伸張する根が絡みやすく、容易に波浪等で基盤本体１０から離れないようにすることができる。強固な植栽用の基盤を形成することができるのである。
【００２７】
また、かかる構成の植栽基盤１００を浮島に構成する場合も、植栽基盤１００の材質にプラスチック性合成繊維等を使用することにより軽量化を図ることができる。さらには、繊維状物質自体が、３次元構造で空隙率が高く構成されているので、その素材自体の軽さのために浮体の構造自体も小さくすることができる。
【００２８】
図１には、基盤本体１０の構成として、３次元構造で繊維が絡み合って３次元の空隙構造が形成されている様子を示した。
【００２９】
かかる構成の基盤本体１０には、植栽する植物２００の生育に必要な栄養物２０が設けられている。植栽基盤１００の基盤本体１０に、植物２００の生育に必要な栄養物２０を設けるに際しては、本発明の特徴点の一つでもあるが、極めてユニークな方法で設けるようにした。
【００３０】
例えば、沈水植物２００ａを植栽対象の植物２００とした場合には、その栄養物２０は、湖沼や池底の土砂（砂質から泥質までを本明細書では、以下土砂と言う場合がある）に多く含まれている。
【００３１】
そこで、かかる栄養物２０を如何にして空隙率の多い３次元構造下に保持させるかで、本発明者は、頭を悩ました。その結果、生育に必要な栄養物２０は、沈水植物２００ａが根を張り出し、所定の長さまで伸張した段階まで保持されれば、少なくとも十分と考えた。完全に成長するまで、あるいは成長後の植物体を維持するまでの栄養物２０は、植栽基盤１００内に保持しえなくても、構わないのではないかとの着想を得た。
【００３２】
植栽基盤１００は、沈水植物２００ａに使用する場合には、沈水植物２００ａの生育状態に従って、漸次湖底側に沈め、植物本体が余り水面上に出ないようにする必要がある。
かかる水面下への沈潜に従って、植栽基盤に生育した沈水植物２００ａの根は、植栽基盤１００を通過して、植栽基盤１００外へ伸張することとなる。このように伸張した段階では、伸張した根が湖底の土砂に届くように植栽基盤１００を沈潜させて行くので、成長に必要な栄養分は湖底等の土砂から直接とることができる筈だと考えた。
【００３３】
また、湖沼沿岸帯の沈水植物群落再生を目的とする場合は、植物を活着させた植栽基盤１００を栄養物２０の豊富な湖底等に直接沈設するため問題ないと考えた。
【００３４】
そこで、植栽基盤１００には、当面の生育に必要な栄養物２０だけを少なくとも保持させればよいのではないかと、考えたのである。種々の試みを試す中、３次元の空隙構造を生かして、かかる栄養物２０を保持させる発想が思いついた。すなわち、３次元の空隙構造は、いわば３次元の網目構造のようなものであるから、かかる空隙構造に、栄養物２０を含む湖底の泥状のものを塗り込む発想を得たのである。
【００３５】
しかし、単に塗り込んだだけでは、植栽基盤１００を水中下に沈潜させると、３次元構造の空隙構造から栄養物２０が剥がれる場合が考えられる。そこで、かかる場合には、３次元の空隙構造に栄養物２０を塗り込んだ後に、一旦乾燥させることで、栄養物２０の３次元空隙構造からの抜け落ちを防止した。
【００３６】
水中下に沈潜させた状態で、栄養物２０が全く抜け落ちない訳ではないが、乾燥を十分に行い固化させることで、その抜け落ちを極力少なくし、当初の根の伸張ができるまでは少なくとも３次元の空隙構造に保持させることができるようになった。
【００３７】
しかし、栄養物２０の粘度が強い場合には、かかる乾燥固化等の抜け落ち防止策を施さないでも、空隙構造からの剥がれは抑えられ、空隙構造に塗り込んだだけでも十分に使用することができることも確認した。実際は泥を塗りこむだけでも生長可能ではあるが、固化させることでより良い生長量と生長期間を見込めるのである。
【００３８】
塗り込む箇所は、３次元の空隙構造の表面側である。表面側に塗りこむ栄養物として、例えば、沈水植物の生長に必要な栄養素が多く含まれている湖沼や池底の土砂が適しており、石や枝等の取り除いたものを基盤本体１０の３次元空隙構造内に塗りこむとよい。特に、沈水植物２００ａの再生を図ろうとする湖底等の生育現場から採取した土砂等が好ましい。
【００３９】
基盤本体１０に塗りこむ栄養物２０としての土砂の中には、水底から採取するものが多いため泥状のものが多く、そのままでは水中で脱離しやすいことが多い。その対策として表面に泥状の栄養物２０を塗りこんだ後、天日等で乾燥処理をすることにより土砂を固化させて植栽基盤１００から脱離しにくくなることを、上記の如く、本発明者は見出した。
【００４０】
また、かかる栄養物２０は、珪藻土や製紙工場から発生するペーパースラッジ灰等の吸水性材料を泥状の土砂と混合すれば、泥状物質を素早く粘性を持たせた状態にすることができ、これを植栽基盤１００の表面に塗りこむことで泥の保持力を高めるようにしても構わない。
【００４１】
天日での乾燥等を行う前者は時間と場所に余裕がある場合に、珪藻土等を混ぜる後者は現地の水底を採取してすぐに浮島等に施工する際に用いると効果的である。
【００４２】
湖沼や池底の水底の土砂を塗りこむ際は、沈水植物を生育させる場所の土砂を用いるとよい。これは土砂中にはその地域特有の植物の種子や胞子、根等やその地域固有の動物プランクトンやその卵が眠っているためで、他所からの移入による生態系の撹乱を防ぐことができる。
【００４３】
また、他の栄養物としては、市販されている腐葉土や黒ボク土などの植物の栄養素を含む土を用いたり、栄養素が少ない土砂等に緩効性肥料を混合する等して、適宜調製するようにしても勿論構わない。
【００４４】
かかる構成の植栽基盤１００としては、その厚みは植物の根を張らすことを考えて１０ｍｍ以上、１００ｍｍ以内とすればよい。栄養物２０の塗り込み範囲は、少なくとも表面下５ｍｍ以上の深度で、２０ｍｍ以内の深度範囲で塗り込めばよい。かかる構成を採用することで、基盤本体１０全体に土砂等を充填するのに比べて、かなりの軽量化を図ることができる。
【００４５】
また、かかる構成の植栽基盤１００では、図１に示すように、基盤本体１０の外周側を、シート部材３０で囲う構成を有している。シート部材３０を設ける構成は、一義的には、基盤本体１０の３次元空隙構造に塗り込んだ栄養物２０が、波等による水流の影響を受けて、３次元の空隙構造から離脱するのを防止する目的である。
【００４６】
かかるシート部材３０は、基盤本体１０の側面と底面を覆うように設けられている。かかるシート部材３０としては、ビニールシートや遮水シートなどを用いるとよい。あるいは、透水性で柔らかい不織布などを使用すると植物の根がシートを突き破って伸張し、植物の生育を高めることができて好ましい。
【００４７】
シート部材３０で基盤本体１０を囲むことにより、前述の如く、表面に塗りこんだ栄養物２０としての泥は長期的には徐々に基盤本体１０の３次元空隙構造の内部へ沈降していくが、基盤本体１０の下部では保持することができる。下部に届くようになった根の伸張度合いに応じて、栄養物２０の利用が可能である。
【００４８】
また、浮島として基盤本体１０を設置する際は、懸濁態の栄養素である植物プランクトン等が水中から沈降するが、基盤本体１０がシート部材３０で囲まれているため、これらを保持することもできる。これらの沈降した植物プランクトンは、微生物等に分解され最終的には沈水植物が利用可能な無機態の栄養素となるのである。
【００４９】
かかる構成の植栽基盤１００は、図２に示すように、周囲にフロート１１０を設けて浮島のように構成しておけばよい。フロート１１０には、前記構成の植栽基盤１００を、巻き上げ式にロープ等で係留し、漸次係留ロープ延ばすことにより植栽基盤１００の設置深度を深くすることができるようにしておけばよい。
【００５０】
このように構成しておけば、植栽基盤１００に植栽した沈水植物２００ａの成長に従って、沈水植物２００ａの植物体本体が水面下に常に沈むようにさせることができる。最終的には、湖底等の底にまで沈めることができるように構成しておけばよい。
【００５１】
（実施の形態２）
本実施の形態では、前記実施の形態で述べた植栽基盤１００を用いて、沈水植物２００ａを植栽する方法を説明する。
【００５２】
本発明の植栽方法では、沈水植物２００ａの植物体を、植栽基盤１００を構成する基盤本体２０の表面に寝かせて行うユニークな方法を採用する。例えば、沈水植物２００ａの植物体の茎部分を、図１に示すように、植栽基盤１００の栄養物２０を塗り込んだ３次元空隙構造の表面に横たえるように寝かせる。
【００５３】
かかる植栽方法では、沈水植物２００ａを植栽基盤１００上に横倒しにしてピン固定する方法、もしくは植栽基盤１００の表面に植栽する沈水植物２００ａを横倒しにして、その上をネット等の網状部材で植物体が動かないように覆う方法等が考えられる。
【００５４】
要は、植栽基盤１００の表面に横たえただけでは、植物体が動く虞があって根づかない場合が十分に考えられるため、植物体を植栽基盤１００の表面に効果的に留める手段を採用することか必要である。かかる手段としては、どのような構成のものでも基本的には構わない。
【００５５】
図１には、ピン４０を使用した場合を例示した。ピン４０は、図１、３に示すように、複数のピン先４１が押さえ部材４２で互いに接続された形状とした。植物体を押さえ部材４２と植栽基盤１００の表面との間に挟んだ状態で、ピン先４１を３次元空隙構造内に向けて差し込み、植物体を押さえることができるようになっている。
【００５６】
ピン先４１には、図３に示すように、それぞれ返し４３が設けられており、３次元の空隙構造を形成する繊維等に引っかかって抜けにくいように構成されている。
【００５７】
かかるピン４０を用いて沈水植物２００ａを植栽基盤１００の表面に固定することで、
沈水植物の生育長さに応じて、植栽基盤１００を水中に沈めるに際して、横倒しのままでいられるようにすることができる。水中に沈めた場合には、浮力で植物体が立ち上げられるため、ピン４０は、かかる立ち上げ防止に効果的である。
【００５８】
ピンの材質はプラスチック製や金属製のものでもよいが、自然素材の竹等や生分解性プラスチックを用いることにより植物の根が活着後、ピンが自然に分解され、回収する手間や環境負荷を軽減することもできる。
【００５９】
ピンの植物体を押さえる押さえ部材４２の部分の厚みは、細すぎると植物を固定する際に植物の柔らかい茎が折れてしまうため１ｍｍ以上とし、厚すぎると植物を覆ってしまうため１０ｍｍ以下とするとよい。
【００６０】
ピン４０の先端の形状は植栽基盤１００の３次元空隙構造等の網目サイズや厚みによって異なるが、植栽基盤１００を水中でゆすっても抜けない長さであればよい。また、図３に示すように、返し４３を設ける等の抜けにくい構造にするとよい。
【００６１】
かかる構成のピン４０を用いて、植栽基盤１００の表面に、特に栄養物２０を塗り込んだ３次元空隙構造面に植物体を留めることで、例えば、エビモやクロモなどの茎の節から根をだす有茎種の沈水植物２００ａを、植栽基盤１００に効率的に根付かせることができる。
【００６２】
また、網状部材として金網やネットなどを用いることもできる。かかる場合には、水中に沈めるため水よりも重い比重のものがよい。植栽基盤１００内部から伸張する沈水植物２００ａの新芽が網目を抜けやすいように網目サイズは０．５ｍｍ以上とすることが好ましい。網目サイズの上限は植栽する沈水植物の大きさによって設定すればよく、植物を横倒しに固定する必要があるため植物体の長さの半分程度とすればよい。
【００６３】
以上のように本実施の形態で説明した植栽方法と、前記実施の形態で説明した植栽基盤１００の構成を用いることで、前記の如く、植栽基盤１００の表面の栄養物２０を効率的に吸収して根を伸張させるように沈水植物２００ａを植栽することができる。
【００６４】
すなわち、当初は、図１に示すように植栽基盤１００上に留められた沈水植物２００ａは、数週間後には図４に示すように根２１０が少し生えてきて根づくようになる。さらに、根２１０は伸張し、最終的には、図５に示すように、強固な植栽基盤１００を構成することができる。
【００６５】
尚、図５に示す場合は、根が張った後で植物体を留めていたピン４０は撤去した状況を示している。湖沼沿岸帯の植栽基盤１００として出荷する場合は、沈水植物２００ａがある程度根づいた段階で、ピン４０を取り除いて出荷すればよい。また、浮島に構成する場合には、取り除いておくか、あるいは生分解性のものを使用することで長期的に見て自然に消失させるようにしても構わない。
【００６６】
このようにして、本発明に係わる植栽基盤１００と、植栽方法とを用いることにより、前掲の図２に示すような沈水植物２００ａが良好に生育する植生浮島や、図６に示すような湖沼沿岸域に沈水植物２００ａの植生帯を復元することができる。
【実施例】
【００６７】
本実施例では、前記実施の形態１で説明した植栽基盤１００と、実施の形態２で説明した植栽方法とについて、実際に植栽基盤を浮島構成にして実地検証した場合について説明する。
【００６８】
本発明に係る植栽基盤１００の効果を評価するために、栄養物２０を含む池底から採取した土砂を、厚さ５０ｍｍの合繊マット表面に、１０ｍｍ厚で塗り込んだ。さらに、かかる植栽基盤１００の側面と底面を、図１に示すように、シート部材３０として不織布で囲んだ。
【００６９】
かかる構成の植栽基盤１００と、栄養物２０を塗り込まないただの合繊マットの植栽基盤とに、それぞれ沈水植物２００ａを横倒しにピン止め固定した。かかる構成の両植栽基盤を、植生浮島として公園池に設置して沈水植物２００ａの生育試験を行った。
【００７０】
試験は２００５年９月９日〜１１月３０日まで実施し、沈水植物２００ａには湖沼や池、水田などで一般的にみられるクロモ、ヒロハノエビモ、ヤナギモ、キクモの４種を用いた。沈水植物２００ａの生育は、０〜４迄のランクで評価した。すなわち、０：消滅・消失、１：枯死・食害等の衰退、２：植栽した親株のみ残存の維持、３：新芽の長さが１０ｃｍ未満の成長、４：新芽の長さが１０ｃｍ以上の５段階で評価した。
【００７１】
試験結果は、図７に示すようになった。図７からは、表面に底泥を塗りこんだ本発明に係わる植栽基盤１００は、栄養物２０の塗り込みのない植栽基盤のみの浮島よりも沈水植物２００ａの生育が良好であることが確認された。１１月３０日のヤナギモを除き、他の沈水植物は植物生育のボーダーラインのランク２（植物体の維持）よりも上であることが確認された。
【００７２】
栄養物２０の塗り込みのない植栽基盤の場合には、植物生育のボーダーラインであるランク２以下を示すことが多く、沈水植物２００ａがあまり良く育たないことが確認された。尚、１１月３０日のヤナギモの低い値は、気温も水温も低くなり植物体が枯れ始めたことが原因である。
【００７３】
次に植栽基盤１００の３次元空隙構造である細密構造と、栄養物２０を塗り込む栄養条件のどちらが、沈水植２００ａの生育に影響を与えるのかを調査した。すなわち、５０ｍｍ厚の合繊マットのみの植栽基盤、栄養物２０を含まない砂を合繊マット表面に充填した植栽基盤、栄養物２０を含む底泥を合繊マット表面に塗りこんだ植栽基盤１００の３種類を用意し、各々について沈水植物２００ａの生育試験を室内で行った。
【００７４】
試験では、バケツに各々の構成の植栽基盤を入れ、前記実験の池と同程度の栄養物２０を含む水を約１５リットル満たした。それぞれの植栽基盤に、沈水植物２００ａとしてのクロモとヒロハノエビモを横倒しに植栽し、室温２０℃、照度１８５０〜２０００ルクス、１６時間の明条件、８時間の暗条件で２００５年の１月２４日〜３月８日まで栽培し、新鮮重量（湿重量）の増加量を測定した。
【００７５】
試験結果を図８に示す。図８に示すように、試験前後の沈水植物２００ａの湿重量は、合繊マットのみの植栽基盤、あるいは栄養物２０を含まない砂を充填した植栽基盤より、栄養物２０の豊富な底泥を合繊マットに塗り込んだ植栽基盤１００の方が、２倍以上の重量増加率を示すよい生育性を示すことが確認された。植栽基盤の細密構造よりも、植栽基盤に含まれる栄養物が沈水植物等の植物の生育を高めることが分かった。
【００７６】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００７７】
本発明は沈水植物の再生における分野で有効に利用することができる。
【図面の簡単な説明】
【００７８】
【図１】本発明に係る植栽基盤と、その植栽基盤に沈水植物を根づかせる構成を模式的に示した断面図である。
【図２】植栽基盤にフロートを設けて浮島に構成した場合を模式的に示す説明図である。
【図３】ピンの構成を示す斜視図である。
【図４】植栽基盤に沈水植物を植栽し、根が出始めた様子を模式的に示す説明図である。
【図５】植栽基盤に沈水植物を植栽して十分に成長した状態を模式的に示す説明図である。
【図６】湖沼沿岸域に沈水植物の植生帯を復元した状態を、模式的に示す説明図である。
【図７】（ａ）、（ｂ）、（ｃ）、（ｄ）は、沈水植物の生育試験の結果を示す説明図である。
【図８】沈水植物の生育試験の結果を示す説明図である。
【符号の説明】
【００７９】
１０      基盤本体
２０      栄養物
３０      シート部材
４０      ピン
４１      ピン先
４２      押さえ部材
４３      返し
１００    植栽基盤
１１０    フロート
２００    植物
２００ａ  沈水植物
２１０    根
【図１】
2007259790.tif 000003
【図２】
2007259790.tif 000004
【図３】
2007259790.tif 000005
【図４】
2007259790.tif 000006
【図５】
2007259790.tif 000007
【図６】
2007259790.tif 000008
【図７】
2007259790.tif 000009
【図８】
2007259790.tif 000010